(57)【特許請求の範囲】
【請求項１】
上流の棟側から下流の軒側に向けて下り勾配を有する屋根下地材に敷設される屋根材に関して、各屋根材は、上流側の端部に位置して固着具(3)により屋根下地材(1)に固着される座部(2a)から下流側に向けて上向きに突出する内側馳部(4a)を形成すると共に、下流側の端部に位置して上流側に向けて下向きに折返された外側馳部(4b)を形成しており、下流側の軒側屋根材(2D)と上流側の棟側屋根材(2U)の相互に、内側馳部(4a)に外側馳部(4b)を外嵌させることにより馳(4)を構成する横葺屋根において、前記馳に固着することにより屋根上に搭載される機器の架台を支持する支持装置であって、
下流側から前記馳(4)の下面を押し上げる押上部材(6)と、上流側から前記馳(4)の上面を押し下げる押下部材(7)と、前記押上部材と押下部材の締結部(10)(12)を相互に締着する締結ボルト(8)から成り、
馳の下面に差し込まれる押上部材(6)の差込部(9)と、馳の上面に接支される押下部材(7)の押圧部(11)により、前記締結ボルトを締着したとき馳(4)を上下から挟着する挟着手段(14)を構成し、該挟着手段(14)を前記締結ボルト(8)の下方に配置しており、
前記押下部材(7)は、上流側に向けて延長された翼部(25)と、該翼部に前記架台を支持した状態で取付固定する取付手段(28)を設け、前記取付手段(28)を前記挟着手段(14)から上流側に向けて距離Ｌを介して離間配置して成ることを特徴とする横葺屋根における機器搭載用支持装置。
【請求項２】
前記馳(4)における座部(2a)の固着具(3)と、前記支持装置(5)における挟着手段(14)及び取付手段(28)の相互は、馳を挟着する挟着手段(14)から上流側に向けて距離Ｌ１を介して離間された位置に前記固着具(3)が配置され、該固着具から上流側に向けて距離Ｌ２を介して離間された位置に前記取付手段(28)が配置されるように構成されて成ることを特徴とする請求項１に記載の横葺屋根における機器搭載用支持装置。
【請求項３】
押上部材(6)の締結部(10)の上に押下部材(7)の締結部(12)を配置し、両締結部に挿通した締結ボルト(8)に締結ナット(13)を締着することにより、両締結部(10)(12)を締結する構成において、両締結部(10)(12)の相互にガイド制御手段(32)を設けており、
前記ガイド制御手段(32)は、両締結部(10)(12)にそれぞれ設けられた、下流側に臨む定規面(32a)と、上流側に臨む押圧面(32b)により構成されており、
前記定規面(32a)と押圧面(32b)は、相互に離反させられた状態から両締結部(10)(12)を近接させたとき相互に接触し、該接触状態から締結ボルト・ナット(8)(13)により両締結部(10)(12)を締結したとき相互に摺動することにより、両締結部(10)(12)を所定姿勢に導き一体結合させるように構成されて成ることを特徴とする請求項１又は２に記載の横葺屋根における機器搭載用支持装置。
【請求項４】
押上部材(6)の締結部(10)の上に押下部材(7)の締結部(12)を配置し、両締結部に挿通した締結ボルト(8)に締結ナット(13)を締着することにより、両締結部(10)(12)を締結する構成において、両締結部(10)(12)の相互にガイド制御手段(32)を設けており、
前記ガイド制御手段(32)は、両締結部(10)(12)にそれぞれ設けられた、下流側に臨む定規面(32a)と、上流側に臨む押圧面(32b)により構成されており、
前記定規面(32a)と押圧面(32b)は、締結ボルト(8)の軸線(X)に対して傾斜する傾斜面を形成しており、締結ボルト(8)に締結ナット(13)を締着したとき、押圧面(32b)と定規面(32a)が圧接されることにより両締結部(10)(12)を所定姿勢の一体結合状態として締着するように構成して成ることを特徴とする請求項１又は２に記載の横葺屋根における機器搭載用支持装置。
【発明の詳細な説明】
【技術分野】
【０００１】
本発明は、屋根上に搭載される太陽電池モジュール等の機器を支持するための装置であり、特に横葺き屋根の馳に固着することにより屋根上に搭載される機器の架台を支持するための支持装置に関する。
【背景技術】
【０００２】
従来、屋根上に太陽電池モジュールを搭載するための装置が提案されている。その多くは、瓦屋根に関する技術であるが、太陽光エネルギーを活用するためには、瓦屋根に限らず、横葺き屋根に関しても強いニーズがある。
【０００３】
この点に関して、本出願人は、特許文献１に示されるように、横葺き屋根の馳を上下から挟着することにより固定設置可能とした支持装置を提案している。
【先行技術文献】
【特許文献】
【０００４】
【特許文献１】特開２０１６−４４４５５号公報
【発明の概要】
【発明が解決しようとする課題】
【０００５】
特許文献１により提案した従来の支持装置を図６及び図７に示している。公知のように横葺屋根は、上流側Ｕの棟側から下流側Ｄの軒側に向けて下り勾配を有する屋根下地材１に屋根材２を敷設している。各屋根材２は、上流側Ｕの端部に位置してネジ釘やビス等の固着具３により下地材１に固着される座部２ａと該座部２ａから下流側Ｄに向けて上向きに突出するように折曲された内側馳部４ａを形成すると共に、下流側Ｄの端部に位置して上流側Ｕに向けて下向きに折返された外側馳部４ｂを形成している。そこで、相互に隣り合って敷設される下流側の軒側屋根材２Ｄと上流側の棟側屋根材２Ｕの間において、軒側屋根材２Ｄの内側馳部４ａに対し棟側屋根材２Ｕの外側馳部４ａを外嵌させることにより馳４を構成している。
【０００６】
横葺屋根の屋根材２は、塗装された鋼板（以下、「通常鋼板」という。）が一般的であるが、近年、塗装に加えて石粒等を付着することにより硬い表層を形成した鋼板（以下、「硬層付き鋼板」という。）が提供され、遮音性・遮熱性・耐候性に優れるものとして好評を博している。通常鋼板は、折曲加工が容易であるため、内側馳部４ａ及び外側馳部４ｂを偏平状態に折曲することが可能であり、馳４の全体高さを比較的低く形成することができる。これに対して、硬層付き鋼板は、折曲加工が容易でないため、内側馳部４ａ及び外側馳部４ｂが分厚くなるように折曲され、馳４の全体高さも比較的高くなることが知られている。
【０００７】
支持装置５は、下流側で前記馳４の下面を押し上げる押上部材６と、上流側で前記馳４の上面を押し下げる押下部材７と、前記押上部材６と押下部材７を相互に締着する締結ボルト８により構成されている。
【０００８】
押上部材６は、馳４の下面に差し込まれる差込部９と、該差込部９の上方に位置する上動用締結部１０を備えている。これに対して、押下部材７は、前記差込部９の先端部の直上に臨む下端部により馳４の上面に接支される押圧部１１と、前記上動用締結部１０の上に配置される下動用締結部１２を備えている。締結ボルト８は、頭部を上動用締結部１０に保持された状態で軸部を起立させており、押上部材６の上動用締結部１０の上に押下部材７の下動用締結部１２を臨ませた状態で、締結ボルト８の軸部を下動用締結部１２に挿通させ、該軸部の先端から頭部に向けて締結ナット１３を螺着している。
【０００９】
そこで、支持装置５を馳４に固着するためには、図６（Ａ）に示すように、締結ナット１３を弛め、押上部材６を後傾姿勢（上流側に傾いた姿勢）として、差込部９を下流側から馳４の下面に差し込むと共に、押下部材７の押圧部１１を馳４の上面に接支させ、この状態から締結ナット１３を締着することにより、図６（Ｂ）に示すように、上動用締結部１０を引き上げると共に下動用締結部１２を押し下げ、押圧部１１と差込部９により上下から馳４を挟着する。従って、押圧部１１と差込部９は、馳４を上下から挟着する挟着手段１４を構成し、該挟着手段１４を締結ボルト８の下方に配置すると共に、押圧部１１を締結ボルト８の軸線Ｘから上流側Ｕに偏位する位置に配置し、これにより、馳４を挟着した状態で締結ボルト８を屋根の上面に対して垂直に起立させるように構成されている。
【００１０】
このようにして支持装置５を馳４に固着した後、押上部材６と押下部材７の上面を支持面として、架台１５を載置し、該支持面から上向きに突出する締結ボルト８のボルト軸部を取付手段１５として、固定ナット１７を締着することにより、支持装置５の上に架台１４を固定支持する。
【００１１】
前記締結ボルト８を締着することにより馳４を上下から挟着する際、屋根材２が上述の通常鋼板により形成されている場合は、馳４が比較的変形容易なため、差込部９が馳４を上向きに変形させ、押圧部１１が馳４を下向きに変形させることができ、押上部材６と押下部材７の両者を後傾姿勢から姿勢を起こし、締結ボルト８の締着完了時には、屋根の上面に対して垂直に起立させることができる。
【００１２】
しかしながら、従来の支持装置の場合、次のような問題がある。
【００１３】
図６（Ａ）に示すように、締結ナット１３を弛め、押上部材６の差込部９を馳４の下面に差し込み、押下部材７の押圧部１１を馳４の上面に臨ませた状態から、締結ナット１３を締結ボルト８に締結し、馳４を上下から押圧部１１と差込部９により強く狭着したとき、図６（Ｂ）に示すように、下動用締結部１２が偏位姿勢とされた状態で上動用締結部１０に圧接される等、上動用締結部１０と下動用締結部１２が締結ボルト８の軸線Ｘに対して正しい姿勢で締結されない場合を生じることがあり、図示のように、押上部材６と押下部材７の上面が面一に整合されず、架台１５を支持するための良好な支持面が形成されないという問題がある。
【００１４】
更に、重要な問題として、締結ボルト８により架台１５を固定する取付手段１６を構成しているので、締結ボルト８の直上に取付手段１６が配置され、締結ボルト８の直下に挟着手段１４が配置されている。このため、図７に示すように、架台１５を真上に向けて引き上げる方向の力が作用したとき、取付手段１６の引き上げ力がそのまま締結ボルト８の直下に位置する挟着手段１４に対する引き上げ力として作用するので、馳４を持ち上げ、ビス等の固着具３が屋根下地材１から引き抜かれるおそれがある。特に、このような引き上げ力は、架台１５に太陽電池モジュール等のパネル状機器を搭載している場合、台風等の強風により煽られたときに生じる可能性が高く、煽られたパネル状機器と共に屋根材２が吹き飛ぶ危険がある。
【課題を解決するための手段】
【００１５】
本発明は、上記課題を解決した横葺屋根における機器搭載用支持装置を提供するものであり、その手段として構成したところは、上流の棟側から下流の軒側に向けて下り勾配を有する屋根下地材に敷設される屋根材に関して、各屋根材は、上流側の端部に位置して固着具により屋根下地材に固着される座部から下流側に向けて上向きに突出する内側馳部を形成すると共に、下流側の端部に位置して上流側に向けて下向きに折返された外側馳部を形成しており、下流側の軒側屋根材と上流側の棟側屋根材の相互に、内側馳部に外側馳部を外嵌させることにより馳を構成する横葺屋根において、前記馳に固着することにより屋根上に搭載される機器の架台を支持する支持装置であって、下流側から前記馳の下面を押し上げる押上部材と、上流側から前記馳の上面を押し下げる押下部材と、前記押上部材と押下部材の締結部を相互に締着する締結ボルトから成り、馳の下面に差し込まれる押上部材の差込部と、馳の上面に接支される押下部材の押圧部により、前記締結ボルトを締着したとき馳を上下から挟着する挟着手段を構成し、該挟着手段を前記締結ボルトの下方に配置しており、前記押下部材は、上流側に向けて延長された翼部と、該翼部に前記架台を支持した状態で取付固定する取付手段を設け、前記取付手段を前記挟着手段から上流側に向けて距離Ｌを介して離間配置して成る点にある。
【００１６】
この際、前記馳における座部の固着具と、前記支持装置における挟着手段及び取付手段の相互は、馳を挟着する挟着手段から上流側に向けて距離Ｌ１を介して離間された位置に前記固着具が配置され、該固着具から上流側に向けて距離Ｌ２を介して離間された位置に前記取付手段が配置されるように構成することが好ましい。
【００１７】
本発明の好ましい実施形態は、押上部材の締結部の上に押下部材の締結部を配置し、両締結部に挿通した締結ボルトに締結ナットを締着することにより、両締結部を締結する構成において、両締結部の相互にガイド制御手段を設けており、前記ガイド制御手段は、両締結部にそれぞれ設けられた、下流側に臨む定規面と、上流側に臨む押圧面により構成されており、前記定規面と押圧面は、相互に離反させられた状態から両締結部を近接させたとき相互に接触し、該接触状態から締結ボルト・ナットにより両締結部を締結したとき相互に摺動することにより、両締結部を所定姿勢に導き一体結合させるように構成されている。
【００１８】
前記ガイド制御手段を構成する定規面と押圧面は、締結ボルトの軸線に対して傾斜する傾斜面を形成しており、傾斜する押圧面と定規面の摺動を介して押上部材を上動させると共に押下部材を下動させ、押圧面と定規面を圧接させることにより両締結部を所定姿勢とされた一体結合状態に締着するように構成することが好ましい。
【発明の効果】
【００１９】
請求項１又は２に記載の本発明によれば、押下部材７から上流側に向けて延設された翼部２５に架台１５を取付固定する取付手段２８を設けることにより、取付手段２８を馳４の挟着手段１４から上流側に向けて距離Ｌを介して離間配置しているので、台風等の予想外の強風を受けた場合でも、引き上げ力Ｆにより作用する引張荷重は、挟着手段１４から上流側に離間した取付手段２８に作用し、その結果、固着具３に対する引き抜き力を剪断力に変換することが可能であり、しかも、翼部２５の変形により吸収することが可能であるから、ビス等の固着具３が屋根下地材１から引き抜かれ、煽られたパネル状機器と共に屋根材２が吹き飛ぶ危険を防止することができる。
【００２０】
請求項３又は４に記載の本発明によれば、締結ボルト８により締着される押上部材６の上動用締結部１０と押下部材７の下動用締結部１２の相互間に、下流側に臨む定規面３２ａと上流側に臨む押圧面３２ｂにより構成されたガイド制御手段３２を設けているので、締結ボルト８及びナット１３で両締結部１０、１２を締結したとき、定規面３２ａと押圧面３２ｂが相互に摺動することにより、両締結部１０、１２を所定姿勢に導くと共に、好適に一体結合させることができる。
【図面の簡単な説明】
【００２１】
【図１】横葺屋根の１例を示しており、（Ａ）は本発明の１実施形態に係る支持装置を横葺屋根に設置した状態を示す斜視図、（Ｂ）は横葺屋根の馳の部分の拡大図である。
【図２】本発明の１実施形態に係る支持装置の各部材を分解した状態で架台と共に示す斜視図である。
【図３】本発明の１実施形態に係る支持装置に関して、押上部材と押下部材を締結ボルトにより組付けた状態を示す断面図である。
【図４】本発明の１実施形態に係る支持装置を横葺屋根に設置する方法と設置する際の作用を示しており、（Ａ）は差し込み部を馳の下面に差し込む方法を示す断面図、（Ｂ）は差し込み部を馳の下面に差し込むと共に押圧部を馳の上面に接支した状態で締結ボルトを締着したときの状態を示す断面図である。
【図５】本発明の１実施形態に係る支持装置を横葺屋根に設置完了し、架台を固定支持した状態を示す断面図である。
【図６】本出願人が先に提案した従来技術に係る支持装置を横葺屋根に設置する方法を示しており、（Ａ）は締結ボルトに対して締結ナットを弛めた状態を示す断面図、（Ｂ）は締結ボルトに対して締結ナットを締着した状態を示す断面図である。
【図７】従来技術に係る支持装置を横葺屋根に設置完了し、架台を固定支持した状態を示す断面図である。
【発明を実施するための形態】
【００２２】
以下、図１ないし図５に基づいて本発明の好ましい実施形態を詳述する。尚、横葺屋根の構成と、支持装置の概括的構成は、従来技術について上述した構成と同様であるから、上述と同様の構成部分は、同一符号を図示することにより説明する。
【００２３】
本発明において、太陽電池モジュール等の機器を搭載するための屋根は、図１に示すように、棟側の上流側Ｕから軒側の下流側Ｄに向けて下り勾配を有する横葺屋根であり、屋根下地材１の上に薄金属板等から成る屋根材２を敷設すると共に、該屋根材２に下流側に向けて突出する馳４を設けている。
【００２４】
各屋根材２は、上流側Ｕの端部に位置してネジ釘やビス等の固着具３により屋根下地材１に固着される座部２ａと該座部２ａから下流側Ｄに向けて上向きに突出するように折曲された内側馳部４ａを形成すると共に、下流側Ｄの端部に位置して上流側Ｕに向けて下向きに折返された外側馳部４ｂを形成している。そこで、相互に隣り合って敷設される下流側の軒側屋根材２Ｄと上流側の棟側屋根材２Ｕの間において、軒側屋根材２Ｄの内側馳部４ａに対し棟側屋根材２Ｕの外側馳部４ａを外嵌させることにより馳４を構成している。
【００２５】
上述のように、横葺屋根の屋根材２は、通常鋼板が使用されている場合と、硬層付き鋼板が使用されている場合があるところ、本発明の支持装置５は、何れの鋼板から成る屋根材２であっても好適に実施できる利点がある。
【００２６】
支持装置５は、下流側に配置される押上部材６と上流側に配置される押下部材７から成り、両部材６、７を締着する締結ボルト８及び締結ナット１３を備えている。支持装置５は、図１及び図２に示すように、馳４を挟着することにより屋根材２の上に設置された状態で、その上に架台１５が取付けられ、該架台１５に太陽電池モジュール等の機器が搭載される。
【００２７】
前記押上部材６及び押下部材７は、金属板の折曲により形成しても良いが、図示のように、それぞれアルミニウム等の金属を素材とする押出材を所定長さに裁断することにより形成することが好ましい。
【００２８】
［押上部材の構成］
前記押上部材６は、図３に示すように、下流側に配置される横向き筒状の本体部１８と、該本体部１８の底壁１９から上流側に向けて突出された差込部９と、該差込部９の上方に位置して前記本体部１８から上流側に向けて突出する上動用締結部１０を一体に備えている。
【００２９】
前記本体部１８は、下流側に臨む壁部により殴打面２０を形成すると共に、上部壁により平坦な架台搭載面６ａを形成し、本体部１８と上動用締結部１０の間に上部開口状の溝部２１を形成している。前記本体部１８の底壁１９は、前記殴打面２０を形成する壁部の下端に設けられた接支部２２から上流側に向けて上向き傾斜する傾斜底壁１９ａを形成し、該傾斜底壁１９ａから前記差込部９を更に上向き傾斜するように延設している。従って、押上部材６の底面は、前記接支部２２から、上流側に向けて、傾斜底壁１９ａと差込部９が連続する上向き傾斜面を形成している。そして、前記差込部９の先端には、銛先状の爪部９ａが設けられている。
【００３０】
前記上動用締結部１０は、上部に横向きのスリット状開口部を形成する一対のレール部を設けた有底溝部１０ａを形成し、該有底溝部１０ａには、前記締結ボルト８の頭部８ａが摺動自在かつ回動不能かつ抜止め状に嵌入され、起立するボルト軸部８ｂに締結ナット１３を螺着するように構成されている。
【００３１】
［押下部材の構成］
前記押下部材７は、図３に示すように、横向き筒状の下動用締結部１２と、該下動用締結部１２の上流側に臨む壁部から垂設された脚壁２３を一体に備え、該脚壁２３の下端部に下流側に向けてＬ形に突出する押圧部１１を設け、更に、下動用締結部１２の下流側の端部から舌片２４を垂設すると共に、該下動用締結部１２の上面に形成された架台搭載面７ａから面一状態として上流側に向けて延長された翼部２５を一体に形成している。
【００３２】
前記下動用締結部１２は、横向き筒状体の下側壁部に締結ボルト８のボルト軸部８ｂを挿通する挿通孔２６を穿設すると共に、上側壁部に締結ナット１３を通過させる窓孔２７を穿設し、該筒状体の内部空間により締結ナット１３の格納室を形成している。
【００３３】
前記翼片部２５の延長端部には、一対のレール部を設けた有底溝部２５ａが形成され、該溝部２５ａには、架台１５を取付固定する取付手段２８を構成する固定ボルト２９の頭部２９ａが摺動自在かつ回動不能かつ抜止め状に嵌入され、起立するボルト軸部２９ｂに固定ナット３０を螺着するように構成されている。
【００３４】
［架台の構成］
前記架台１５は、図２に示すように、支持装置５から上流側及び下流側に向けて延びる溝型部材により構成され、該溝型部材の底壁部に長手方向に延びる長孔３１を開設している。架台１５は、後述するように馳４に固着された支持装置５の架台搭載面６ａ、７ａと翼部２５の上に載置され、前記締結ボルト８のボルト軸部８ｂと前記固定ボルト２９のボルト軸部２９ｂを長孔３１に受入れた状態で、前記固定ボルト２９のボルト軸部２９ｂに固定ナット３０を螺着することにより固定支持される。
【００３５】
［締結ボルト及び挟着手段と取付手段の配置構成］
図３に示すように、馳４の下面に差し込まれる押上部材６の差込部９と、馳４の上面に接支される押下部材７の押圧部１１は、前記締結ボルト８を締着したとき馳４を上下から挟着する挟着手段１４を構成し、該挟着手段１４を前記締結ボルト８の下方に配置すると共に、該挟着手段１４を構成する差込部９と押圧部１１のうち、押圧部１１を締結ボルト８の軸線Ｘよりも上流側に偏位して配置している。そこで、前記架台１５を取付固定するための取付手段２８は、翼部２５を介して設けられているため、前記挟着手段１４から上流側に向けて距離Ｌで示すように離間した位置に配置されている。
【００３６】
この点の配置関係は、屋根材２における固着具３の位置に関して、図５に示すように、前記挟着手段１４から上流側に向けて距離Ｌ１を介して離間された位置に前記固着具３が配置され、該固着具３から上流側に向けて距離Ｌ２を介して離間された位置に前記取付手段２８が配置されるように構成されていることが好ましい。
【００３７】
［押上部材と押下部材の相互におけるガイド制御手段］
図３に示すように、前記押上部材６と押下部材７を締結ボルト８と締結ナット１３により仮止め状態として組付けたとき、前記舌片２４の先端部が前記溝部２１に遊挿させられ、該舌片２４と溝部２１の間においてガイド制御手段３２が形成されている。
【００３８】
前記ガイド制御手段３２は、前記溝部２１の両側の溝壁面のうち下流側に臨む溝壁面に形成された定規面３２ａと、前記舌片２４の両側の側壁面のうち上流側に臨む側壁面に形成された押圧面３２ｂにより構成されている。図３に図示するように、定規面３２ａと押圧面３２ｂは、締結ボルト８の軸線Ｘに対して傾斜する傾斜面を形成しており、後述するように差込部９と押圧部１１により馳４を挟持した状態で締結ボルト８を強く締着したとき、前記押圧面３２ｂを定規面３２ａに圧接させ、これにより、上動用締結部１０と下動用締結部１２を正しい姿勢で一体結合された状態として締着させるように構成している。
【００３９】
［屋根上に設置する方法と設置する際の作用］
上記のように構成した支持装置５を横葺屋根に設置する方法と、設置の際の作用を説明する。
【００４０】
先ず、図４（Ａ）に示すように、締結ナット１３を弛めた状態で締結ボルト８により相互に仮止め状態として組付けられた押上部材６と押下部材７を後傾姿勢（屋根の上流側に向けて傾斜する傾斜姿勢）として、押上部材６の差込部９下流側から馳４の下面に臨ませる。この状態から殴打面２０をハンマー等の工具で殴打すれば、差込部９が馳４の下面に進入し、先端の爪部９ａを外側馳部４ｂの折返し状の端縁に係止する。
【００４１】
次いで、図４（Ｂ）に示すように、締結ナット１３を締結ボルト８のボルト軸部８ｂに螺進させると、押下部材７の下動用締結部１２が下動することにより、押圧部１１を馳４の上面に接支する。この際、図示のように、押圧部１１は、締結ボルト８の軸線Ｘから上流側に偏位した位置で馳４の上面に接支される。
【００４２】
この状態から締結ナット１３を強く締着し、下動用締結部１２が上動用締結部１０に圧接されるまで締着する。屋根材２が上述の通常鋼板により形成されている場合は、馳４が比較的変形容易なため、差込部９が馳４を上向きに変形させ、押圧部１１が馳４を下向きに変形させながら、押上部材６と押下部材７の両者を後傾姿勢から姿勢を起こし、締結ボルト８の締着完了時には、屋根の上面に対して垂直に起立させられる。
【００４３】
これに対して、屋根材２が上述の硬層付き鋼板により形成されている場合は、馳４が比較的変形困難であり、締結ナット１３を締着しても、馳４の下面に拘束された差し込み部９が簡単には上向きに移動しないので、押下部材７は、馳４に接支された押圧部１１を支点として、矢印Ｍ１で示す方向のモーメントを受けながら、上動用締結部１０と下動用締結部１２を締結し、馳４を上下から押圧部１１と差込部９により挟着する。
【００４４】
以上の作用は、上述した従来の支持装置の作用と同様であるが、本発明は、ガイド制御手段３２を設けた点と、翼部２５に取付手段２８を設けた点に特徴があり、次のような作用を可能とする。
【００４５】
締結ナット１３を締結ボルト８に螺進させることにより、下動用締結部１２が上動用締結部１０に向けて移動させられ、溝部２１に対して舌片２４が遊挿状態から溝底に向けて進入するとき、押圧面３２ｂを定規面３２ａに圧接するので、下動用締結部１２は、ボルト軸線Ｘに沿う姿勢とされた状態で上動用締結部１０に一体結合される。
【００４６】
図５に示すように、ガイド制御手段３２を構成する定規面３２ａと押圧面３２ｂは、ボルト軸線Ｘに対して傾斜する傾斜面を形成しており、傾斜する押圧面３２ｂと定規面３２ａの摺動を介して、押上部材６を上動させ、押下部材７を下動させるように構成され、押圧面３２ｂと定規面３２ａを相互に圧接させることにより、上動用締結部１０と下動用締結部１２を所定姿勢として一体結合された状態で締着するように構成されている。
【００４７】
このように、前記定規面３２ａと押圧面３２ｂから成るガイド制御手段３２により、下動用締結部１２と上動用締結部１０を正しい姿勢として保持し一体結合することができ、この一体結合状態で、更に、締結ナット１３を締結ボルト８に強く締着すれば、該締着力が上動用締結部１０と下動用締結部１２のそれぞれに等しく伝達され、上動用締結部１０と下動用締結部１２を相互に好適に引き寄せ、これにより、差込部９が変形困難な馳４を上向きに変形させ、押圧部１１が変形困難な馳４を下向きに変形させながら、押上部材６と押下部材７の両者を馳４に設置することができるので、締結ボルト８の締着完了時には、図５に示すように、支持装置５が屋根の上面に対して垂直姿勢として支持される。
【００４８】
この際、図５に示すように、馳４に固着された支持装置５は、架台搭載面６ａ、７ａと翼部２５の上面により、整合された面一状の支持面を形成しているので、架台１５を好適に支持することができ、該架台１５は、翼部２５の有底溝部２５ａに設けた固定ボルト２９から成る取付手段２８により取付固定され、その上に太陽電池モジュール等の機器が搭載される。
【００４９】
搭載された機器が太陽電池モジュール等のパネル状機器とされている場合、強風を受けて煽られることにより、架台１５の取付手段２８を真上に向けて引き上げる方向の力Ｆを受ける場合がある。
【００５０】
この点に関して、図示のように、支持装置５は、馳４を挟着した差込部９と押圧部１１により構成された挟着手段１４から、上流側に向けて距離Ｌで示すように十分に離間した位置に取付手段２８を配置しており、その間に固着具３が配置されている。従って、取付手段２８に作用する引き上げ力Ｆは、挟着手段１４の部分を支点とするモーメントＭ２に変換させられるので、固着具３に対する引き抜き力ではなく、剪断力として作用し、固着具３が屋根下地材１から引き抜かれることを防止する。
【００５１】
前記引き上げ力Ｆにより生じるモーメントＭ２は、支持装置５の押上部材６を介して屋根材２に対する圧接力として支持され、更に引き上げ力Ｆが増したときは、翼部２５の変形により吸収することができる。
【００５２】
このため、台風等の予想外の強風を受けた場合でも、引き上げ力Ｆにより作用する引張荷重は、従来技術のような締結ボルト８による支持ではなく、上流側に離間した取付手段２８により支持されるので、その結果、固着具３に対する引き抜き力を剪断力に変換することが可能であり、しかも、翼部２５の変形により吸収することが可能であるから、ビス等の固着具３が屋根下地材１から引き抜かれ、煽られたパネル状機器と共に屋根材２が吹き飛ぶ危険を防止することができる。
【符号の説明】
【００５３】
１  屋根下地材
２  屋根材
２ａ  座部
２Ｄ  軒側屋根材
２Ｕ  棟側屋根材
３  固着具
４  馳
４ａ  内側馳部
４ｂ  外側馳部
５  支持装置
６  押上部材
６ａ  架台搭載面
７  押下部材
７ａ  架台搭載面
８  締結ボルト
８ａ  頭部
８ｂ  ボルト軸部
８ｃ  角形首部
９  差込部
９ａ  爪部
１０  上動用締結部
１０ａ  有底溝部
１１  押圧部
１２  下動用締結部
１３  締結ナット
１４  挟着手段
１５  架台
１６  取付手段
１７  固定ナット
１８  本体部
１９  底壁
１９ａ  傾斜底壁
２０  殴打面
２１  ガイド溝部
２２  接支部
２３  脚座
２４  ガイド舌片
２５  翼部
２５ａ  有底溝部
２６  挿通孔
２７  窓孔
２８  取付手段
２９  固定ボルト
２９ａ  頭部
２９ｂ  ボルト軸部
３０  固定ナット
３１  長孔
３２  ガイド制御手段
３２ａ  定規面
３２ｂ  押圧面
【図１】
0006640674.tif 000002
【図２】
0006640674.tif 000003
【図３】
0006640674.tif 000004
【図４】
0006640674.tif 000005
【図５】
0006640674.tif 000006
【図６】
0006640674.tif 000007
【図７】
0006640674.tif 000008